(57)【要約】【課題】  有害な薬品等の化学製品を一切使用することなく、物理的な方法で貝類に寄生する有害生物の駆除を行なうことを可能とする。【解決手段】  養殖貝類５…を浸漬する水槽１と、水槽内に設置され、浸漬した養殖貝類に影響のないレベルの周波数の超音波を照射し、養殖貝類に寄生する有害生物を駆除する超音波発生装置１０とからなる養殖貝類の有害生物の駆除装置。【選択図】      図３
0003106203.tif 000002
【実用新案登録請求の範囲】
【請求項１】
養殖貝類を浸漬する水槽と、
前記水槽内に設置され、浸漬した養殖貝類に影響のないレベルの周波数の超音波を照射し、該養殖貝類に寄生する有害生物を駆除する超音波発生装置とからなる、
ことを特徴とする養殖貝類の有害生物の駆除装置。
【請求項２】
前記水槽に前記養殖貝類を収納した篭を吊下げて上下させ、該水槽内に該篭を投入して浸漬し、搬出するようにしたことを特徴とする請求項１に記載の養殖貝類の有害生物の駆除装置。
【請求項３】
前記水槽は、傾斜面からなる投入部及び搬出部、この間に平坦部を備え、該水槽内に該水槽に倣って前後に傾斜部を備え、中間部を平坦としたコンベヤを配設し、前記養殖貝類を収納した篭を投入部から水槽内に該コンベヤを介して投入して浸漬し、搬送させ、搬出部から水槽外に搬出するようにしたことを特徴とする請求項１に記載の養殖貝類の有害生物の駆除装置。
【請求項４】
前記水槽は傾斜面からなる投入部及び搬出部、この間に平坦部を備え、該水槽上に該水槽に倣って前後に傾斜部を備え、中間部を平坦としたオーバーヘッドコンベヤを配設し、前記養殖貝類を収納した篭を該オーバーヘッドコンベヤで吊り下げて水槽内に投入して浸漬し、搬送させ、搬出部から水槽外に搬出するようにしたことを特徴とする請求項１に記載の養殖貝類の有害生物の駆除装置。
【請求項５】
前記水槽内に筒状で網状であり、内周に螺旋部を設けた筒状の回転コンベヤを傾斜して配置し、該コンベヤの下位の上流部は水槽内に浸漬し、該コンベヤの上位の下流部は水槽外に露出し、該コンベヤの下位の上流部に養殖貝類を投入し、該コンベヤの回転でこれの内部に投入した養殖貝類を搬送し、水槽外に養殖貝類を搬出するようにしたことを特徴とする請求項１に記載の養殖貝類の有害生物の駆除装置。
【考案の詳細な説明】
【技術分野】
【０００１】
本考案は、養殖帆立貝等に寄生するポリドラ等の有害生物を駆除する装置に関するものである。
【背景技術】
【０００２】
船底に付着したふじつぼ等の海生生物が、吸水管や排水管の吸水口や排出口に付着してしまい、エンジンの冷却水が不足する等の不都合な事態が生じ、これを解決する技術が従来知られている（例えば特許文献１参照。）。
【特許文献１】特開２００３−２０５８９０公報
【０００３】
この技術は、吸水管等の近傍の船底に超音波発生手段を配設し、超音波で吸水管を振動させ、海生生物の船底の吸水口等に付着するのを防止するものである。
【０００４】
ところで、貝類の養殖に際し、養殖される帆立貝やあこや貝、蛎等に有害生物が寄生し、これらの養殖貝類の生育が妨げられたり、斃死する等の事態が発生する場合がある。
これらの貝類、特に養殖帆立貝の生育を妨げたり、斃死させる有害生物としてポリドラが知られている。
ポリドラは、帆立貝の貝殻の表面に穿孔して寄生するもので、体調は１．５ｍｍ〜３３ｍｍ、体幅は最大で１．６ｍｍであり、卵は貝殻に産み付けられ、貝殻に穿孔して住みついて寄生し、帆立貝の生育を阻害したり、甚だしくは斃死させたりする。
この結果、帆立貝の養殖において多大な被害を被ることとなる。
【０００５】
以上の貝類等への有害生物の寄生の駆除に関する解決方法は、従来では殆ど無いか、或いは薬品等の化学製品を使用して有害生物を駆除せざるを得ないのが現状である。
有害寄生生物の駆除に、薬品等の化学品を使用した場合は、生産者、消費者にとっても不利であり、また、海洋環境上においても不利である。
【考案の開示】
【考案が解決しようとする課題】
【０００６】
本考案は、有害な薬品等の化学製品を一切使用することなく、物理的な方法で貝類に寄生する有害生物の駆除を行なうことを課題とする。
【課題を解決するための手段】
【０００７】
請求項１に係る考案は、養殖貝類の有害生物の駆除装置であって、養殖貝類を浸漬する水槽と、前記水槽内に設置され、浸漬した養殖貝類に影響のないレベルの周波数の超音波を照射し、該養殖貝類に寄生する有害生物を駆除する超音波発生装置とからなることを特徴とする。
【０００８】
請求項２に係る考案は、請求項１において、前記水槽に前記養殖貝類を収納した篭を吊下げて上下させ、該水槽内に該篭を投入して浸漬し、搬出するようにしたことを特徴とする。
【０００９】
請求項３は、請求項１において、前記水槽は、傾斜面からなる投入部及び搬出部、この間に平坦部を備え、該水槽内に該水槽に倣って前後に傾斜部を備え、中間部を平坦としたコンベヤを配設し、前記養殖貝類を収納した篭を投入部から水槽内に該コンベヤを介して投入して浸漬し、搬送させ、搬出部から水槽外に搬出するようにしたことを特徴とする。
【００１０】
請求項４は、請求項１において、前記水槽は傾斜面からなる投入部及び搬出部、この間に平坦部を備え、該水槽上に該水槽に倣って前後に傾斜部を備え、中間部を平坦としたオーバーヘッドコンベヤを配設し、前記養殖貝類を収納した篭を該オーバーヘッドコンベヤで吊り下げて水槽内に投入して浸漬し、搬送させ、搬出部から水槽外に搬出するようにしたことを特徴とする。
【００１１】
請求項５は、請求項１において、前記水槽内に筒状で網状であり、内周に螺旋部を設けた筒状の回転コンベヤを傾斜して配置し、該コンベヤの下位の上流部は水槽内に浸漬し、該コンベヤの上位の下流部は水槽外に露出し、該コンベヤの下位の上流部に養殖貝類を投入し、該コンベヤの回転でこれの内部に投入した養殖貝類を搬送し、水槽外に養殖貝類を搬出するようにしたことを特徴とする。
【考案の効果】
【００１２】
請求項１に係る考案では、水槽内に超音波発生装置を設置し、浸漬した養殖貝類に影響のないレベルの周波数の超音波を該貝類に照射し、該養殖貝類に寄生する有害生物を駆除するようにしたので、宿主である貝殻等に住みつき、寄生するポリドラ等の有害生物は、宿主に比較して体積が非常に小さく、この小さい体積の有害生物に、超音波発生装置により響動する周波数の振動を付与することとなる。
この結果、有害生物が宿主である貝類の貝殻等に付着しているのを困難にさせ、或いは苦しくさせ、または斃死させ、貝殻等の貝類の表面から、貝類を傷めることなく、これに影響を及ぼすことなく、ポリドラ等の有害生物を離脱させることができる。
【００１３】
従って請求項１に係る考案では、薬品等の化学製品を使用することなく、純物理的な方法で帆立貝養殖等において帆立貝等に寄生し、帆立貝の生育不良、斃死等の原因となったポリドラ等の有害寄生生物を、帆立貝等に影響を及ぼすことなく、また海洋汚染の発生もなく、海洋環境に影響を及ぼすことなく除去し、駆除することができる。
そして、以上を水槽内に超音波発生装置を配設し、貝類に影響のないレベルの超音波を照射することで実現できるので、有害生物の駆除処理がし易く、駆除方法が簡素で、コスト的に有利な実効性のある養殖貝類の有害生物駆除装置を得ることができる。
【００１４】
請求項２に係る考案では、超音波発生装置を設置した水槽内に養殖貝類を収納した篭を吊下げて上下させ、該水槽内に該篭を投入して浸漬し、搬出するようにしたので、請求項１の効果に加えるに、養殖貝類の有害生物駆除設備は超音波発生装置を設置した水槽で足り、これに養殖貝類を収納した篭を吊下げて上下させる作業で有害生物の駆除が行え、構造簡素、容易な作業で効果的な、コスト上有利な養殖貝類の有害生物駆除が行うことができる。
【００１５】
請求項３に係る考案では、傾斜面からなる投入部及び搬出部、この間に平坦部を備える水槽内に、これに倣ったコンベヤを配設し、養殖貝類を収納した篭を、投入部から水槽内にコンベヤを介して投入して浸漬し、搬送させ、搬出部から水槽外に搬出するようにしたので、請求項１の効果に加えるに、篭内に貝類を収容し、水槽のコンベヤに投入し、コンベヤの搬送速度を選択、調整することで、連続的に、自動的に効率的に貝類の有害生物の駆除を行なうことができる。
【００１６】
請求項４に係る考案では、傾斜面からなる投入部及び搬出部、この間に平坦部を備え、水槽上に、これに倣ったオーバーヘッドコンベヤを配設し、貝類を収納した篭をオーバーヘッドコンベヤで吊り下げて水槽内に投入して浸漬し、搬送させ、搬出部から水槽外に搬出するようしたので、請求項１の効果に加えるに、篭内に貝類を収容し、コンベヤに投入し、コンベヤの搬送速度を選択、調整することで、連続的に、自動的に効率的に貝類の有害生物の駆除を行なうことができる。
【００１７】
請求項５に係る考案では、筒状で網状で、内周に螺旋部を設けた筒状の回転コンベヤを傾斜して水槽に配置し、コンベヤを回転させ、コンベヤの下位の上流部に貝類を投入することで貝類をコンベヤ、水槽内を搬送し、水槽外に搬出するようにしたので、請求項１の効果に加えるに、搬送用の篭等の貝類の搬送収容体を必要とすることなく、コンベヤの投入部に貝類を投入することで、連続的に回転コンベヤの螺旋作用でコンベヤ内を搬送しつつ効率的に貝類の有害生物の駆除を行なうことができ、また、コンベヤの回転速度の選択、調整で自動的に、連続的に効果的な貝類の有害生物の駆除を行なうことができる。
【考案を実施するための最良の形態】
【００１８】
本考案を実施するための最良の形態を添付図に基づいて以下に説明する。なお、図面は符号の向きに見るものとする。
図１は、本考案に係る養殖貝類の有害生物駆除装置の第１の実施の形態を示す部分破断斜視図である。
１は四周の周壁２…（…は複数を表す。以下同じ）、底３を備え、上方を開放した水槽であり、内部に海水等の水４が収容され、貯留されている。
【００１９】
以上の水槽１の底３の上面に、超音波振動発生部材（超音波振動子）、発振器等からなる超音波発生装置１０を配設する。
超音波発生装置１０は、図示例では矩形のマット状をなし、水槽１の底３の面積に対しある程度の面積を有するように設定し、配線１１を介して水槽１の外部の電源を含むコントローラ１２に接続し、電力の供給制御と、超音波の周波数の設定、超音波照射時間の調整等を行なう。
【００２０】
図２は、水槽に貝類を浸漬し、超音波振動で有害生物を駆除する直前の状態、或いは駆除後の状態を示す説明的縦断面図、図３は、水槽に貝類を浸漬し、有害生物の駆除作業を示す説明的縦断面図である。
水槽１内に養殖貝類、実施の形態では養殖帆立貝５…を収容した篭体６を、ロープ７でフック８を介して吊下げ、一方、水槽１の底３上に配置した超音波発生装置１０から超音波を上向きに照射しておく。この状態を図２で示した。
【００２１】
爾後、篭体６を降下し、該篭体６を水４中に浸漬する。これにより篭体６内に収容された貝類５…は水４の中に浸漬され、超音波発生装置１０から放射される超音波にさらされる。
これにより、貝殻等に寄生する小さい体積のポリドラ等の有害生物に響動する周波数の振動が与えられ、貝殻等に寄生するポリドラ等の付着力を弱めて脱落させたり、死滅させたりして離脱させることができる。
【００２２】
ところで、超音波発生装置で放射する超音波であるが、宿主である帆立貝等の貝類に悪影響を与える周波数、出力では好ましくない。
従って、超音波の周波数は宿主である貝類には殆ど影響の無いレベルとする。具体的は、２０数ＫＨｚ〜４０数ＫＨｚが適当である。
また、出力であるが、出力は水槽の大きさ、照射時間の長短にもよるが、１２００Ｗ〜２４００Ｗの出力とした。
また、超音波発生装置１０の電源及び発振装置周辺は防水機構を採用する。
【００２３】
ところで水槽１であるが、効率良く放射された超音波を伝導し、反射させ、水槽内に浸漬した貝類に浴びせる必要があること、防錆上有利であること等から、例えばステンレス製等の水槽が好ましい。
超音波の貝類への照射であるが、超音波発生装置から放射される超音波の貝類、有害生物への照射は、所定時間連続して浴びせたり、或いは間欠的に浴びせたりする。
超音波の照射時間は、連続照射、間欠照射によって異なるが、水槽の大きさ、周波数及び出力等の兼ね合い、貝類への影響の無い値に設定する。
【００２４】
篭体６内に収容した貝類５…に、上記した条件の下で水槽１内で超音波発生装置１０により、超音波を照射することで、貝類に寄生している有害生物が衰弱して脱落したり、死滅させることで脱落する。
有害生物を駆除した後、篭体６を上昇させ、水槽１から取り出し、貝類の有害生物駆除処理を終了する。
【００２５】
図４は、本考案に係る養殖貝類の有害生物駆除装置の第２の実施の形態を示す説明的縦断側面図である。
水槽２１は、前後の壁２２，２３は対称的に傾斜しており、中間部の底２４は深く、前後に長さを有して平坦（水平）である。内部には前記と同様に海水等の水４が貯留されている。
水槽２１内の底２４上に超音波発生装置１０を配設し、底２４の下面には、例えば発振装置１３を配置し、配線１１を介してコントローラ１２に接続する。
【００２６】
水槽２１の上流側の投入部ａから下流部の搬出部ｂにかけてコンベヤ２５を配設する。実施の形態ではベルトコンベヤとした。
コンベヤ２５は、投入部ａが前下傾した前部２２の直前まで平坦（水平）で、前部２２の傾斜に倣った傾斜前部２５ａ、平坦（水平）な中間部の底２４では概ね水平である中間部２５ｂ、後上傾した後部２３に倣って上傾する傾斜後部２５ｃを経て、後部２３の上端部から平坦な搬出部ｂに至る。
コンベヤ２５の下面には所定ピッチでローラ２７…を配置し、コンベヤ２５は矢印で示した通り、図の右側から左側に移動する。
【００２７】
コンベヤ２５上には、所定ピッチでストッパ２６…を突設し、ストッパ２６…間の距離は、貝類５…を収容する篭体２８の大きさよりも少しく大きくする。
コンベヤ２５の平坦な中間部２５ｂの下方に超音波発生装置１０が配設されている。
【００２８】
以上においては、コンベヤ２５は矢印の通り移動し、貝類５…を収容した篭体２８をコンベヤ２５の投入部ａからストッパ２６，２６の間に載せる。
コンベヤ２５の進行で、貝類５…を収容した篭体２８は、コンベヤ２５の投入部ａから傾斜前部２５ａを経て水槽２１内に搬入され、水槽２１内において中間部２５ｂに至り、更に傾斜後部２５ｃを経て搬出部ｂから搬出される。
【００２９】
この過程で、所定時間、所定出力、所定周波数の超音波がコンベヤ２５で搬送される篭体２８内の貝類に照射され、上述したと同様に貝殻等に寄生する小さい体積のポリドラ等の有害生物に響動する周波数の振動が超音波発生装置１０により与えられ、貝殻等に寄生するポリドラ等の付着力を弱めて脱落させたり、死滅させて離脱させ、これらの有害生物を駆除することができる。
【００３０】
図５は、本考案に係る養殖貝類の有害生物駆除装置の第３の実施の形態を示す説明的縦断側面図である。
本実施の形態においても、水槽３１は投入側ａの平坦部（水平部）３２ａと、これの下流側の前下傾した前部傾斜部３２と、深く、平坦（水平）な底を形成する中間部３４と、搬出側ｂの後上傾した後部傾斜部と、搬出側ｂの平坦部（水平部）３２ｂとを備え、水槽３１内には海水等の水４が収容、貯留されている。
【００３１】
水槽３１の中間部３４の底上には実施の形態では前後に２個の超音波発生装置１０Ａ，１０Ｂを配設し、これらは共通の発振装置１３に接続され、発振装置１３はコントローラ１２に配線１１で接続されており、水槽３１に貯留された水中に超音波を照射するものである。
以上の水槽３１上にはオーバーヘッドコンベヤ３５を配設する。
【００３２】
オーバーヘッドコンベヤ３５のレール３５ｆは、水槽３１上の所定高さに架設されており、投入側ａの上方の投入側水平部２５ｄ、前部傾斜部３２に略々倣った前部傾斜部３５ａ、高さが低く、水槽３１の中間部３４に倣った略々水平な中間部３５ｂ、後部傾斜部３５ｃ及び搬出側ｂの上方の搬出側水平部３５ｅを備える。
以上のオーバーヘッドコンベヤ３５のレール３５ｆには、チエーン等で牽引されるスライダ３６を係合し、これにフック３６ａを介して帆立貝等の貝類５…を収容した篭体３８を吊下げ金具３７ａ、ロープ３７を介して吊下げ、矢印方向に篭体３８をオーバーヘッドコンベヤ３５で吊下げ、搬送する。
【００３３】
篭体３８は、図５の投入位置ａからコンベヤ２５で搬送されることで水槽３１内に投入され、篭体３８に収容された貝類５…は水層３１内に浸漬され、超音波発生装置１０Ａ，１０Ｂにより超音波を照射され、上記と同様に貝類に寄生する有害生物を駆除する。
超音波の照射時間の調整は、コンベヤ３５の搬送速度の調整することでなされ、また、周波数、出力等の調整はコントローラ１２でなされる。
水槽３１内を搬送され、所定周波数、所定出力で所定時間超音波を照射後、篭体３８は搬出部ｂに至り、水槽３１から離脱し、貝類の有害生物の駆除処理を終わる。
【００３４】
図６は、本考案に係る養殖貝類の有害生物駆除装置の第４の実施の形態を示す説明的縦断側面図である。
水槽４１は上記と同様に海水等の水４を貯留し、底４２の上流側部分である前半部４２ａは平坦で水平であり深く、これの下流端部に繋がる後半部４２ｂは緩やかに後上傾している。
水槽４１の底４２の前半部４２ａ及び後半部４２ｂ上には、超音波発生装置１０Ａ，１０Ｂを配設し、これらは発振装置を内装等したコントローラ１２に配線１１で接続されている。
【００３５】
上記した水槽４１の上流の投入側ａには、前下傾するようにシュータ４３を大半が水没するように配設する。シュータ４３は、水槽４１の水面上に露出する入口部４３ａの開口量が大きく、下部の出口部４３ｂは開口量が小さい。
シュータ４３の最も下位の出口部４３ｂから水槽４１の搬出部ｂにかけて回転コンベヤ４５を配設する。回転コンベヤ４５は筒状の網体で形成され、内周に螺旋部材４６を備え、内周には螺旋部材４６により螺旋空間４６ａが形成されている。
【００３６】
回転コンベヤ４５は、上流部の投入部ｄが下位で、下流部の搬出部ｅが上位となるように図の右側が低位で、図の左側が高位となるように傾斜して配置されており、投入部ｄ〜長さ方向（軸方向）の中間部までが水槽４１内で出水没している。
下位の上流部の投入部ｄがシュータ４３の下端出口部４３ｂと連通、接続し、高位の下流部の搬出部ｅは水槽４１の縁から上方に臨み、これの下流部位に収納篭４９が配置されている。
【００３７】
回転コンベヤ４５の上流端部周には、該コンベヤの軸線と直交するように凹型環状ガイド溝４５ａを設け、また、下流端部周には凹型リング状のガイド溝４５ｂを設ける。
各溝４５ａ，４５ｂには、ガイド転輪４４Ａ，４４Ｂを設け、回転コンベヤ４５を回転自在に支承する。ガイド転輪４４Ａ，４４Ｂは各溝４５ａ，４５ｂにおいて、軸線方向と直交する面に対して複数個、例えば半周に亘って２個〜３個配置し、円滑な回転を保障するように構成することが好ましい。
【００３８】
前記したシュータ４３の出口部４３ｂは、回転コンベヤ４５の投入部ｄの内遊に嵌合し、シュータ４３は固定で、回転コンベヤのみが回転するように構成する。
回転コンベヤ４５の下流端部（搬出部ｅ）の周には、該外周の全周に亘り被動リングギヤ４６を固設し、該リングギヤ４６をモータ５０の出力軸５０ａに設けた駆動ピニオン５１に噛合する。
以上により、モータ５０の駆動で駆動ピニオン５１は駆動され、これと相噛合する被動リングギヤ４６は駆動され、回転コンベヤ４５は回転する。回転はガイド転輪４４Ａ，４４Ｂはガイド溝４５ａ，４５ｂとの係合で円滑になされる。
【００３９】
以上において、貝類５…を収容篭４８を傾倒等させ、入口部４３ａからシュータ４３内に投入する。投入された貝類５…は、出口部４３ｂに至り、回転コンベヤ４５の投入部ｄに至り、ここから回転コンベヤ４５の上流端部内に供給される。
回転コンベヤ４５は、上記した通りモータ５０で回転駆動されており、螺旋部材４６間の凹状の螺旋空間４６ａ内に収容され、回転の継続でネジ送り作用により上傾した下流側に搬送される。
【００４０】
この搬送過程で、水槽４１内において超音波発生装置１０Ａ，１０Ｂにより搬送される貝類５…は超音波の照射を受け、上記と同様に貝殻等に寄生した有害生物を衰弱させて脱落させたり、斃死させて脱落させる。
貝類５…は最終的には回転コンベヤ４５の最下流の搬出部ｅに至り、この部分の搬出側ｂに配置した収容篭４９に処理済みの貝類５…が払い出され、収容される。
このように、本実施の形態では、貝類の投入し、超音波による駆除処理、搬出を連続的に処理することができる。
【００４１】
尚、本考案の水槽では海水等を貯留するとしたが、海水等を流入させ、オーバーフローさせる構成でも良い。
【産業上の利用可能性】
【００４２】
本考案の養殖貝類の有害生物駆除装置は、養殖帆立貝等に寄生するリドラ等の有害生物の駆除に好適する。
【図面の簡単な説明】
【００４３】
【図１】本考案の第１の実施の形態を示す部分破断斜視図である。
【図２】水槽に貝類を浸漬し、超音波振動で有害生物を駆除する直前の状態、或いは駆除後の状態を示す説明的縦断面図である。貝類の浸漬、除去作業を示す説明的縦断面図である。
【図３】水槽に貝類を浸漬し、有害生物の駆除作業を示す説明的縦断面図である。
【図４】本考案に係る養殖貝類の有害生物駆除装置の第２の実施の形態を示す説明的縦断側面図である。
【図５】本考案に係る養殖貝類の有害生物駆除装置の第３の実施の形態を示す説明的縦断側面図である。
【図６】本考案に係る養殖貝類の有害生物駆除装置の第４の実施の形態を示す説明的縦断側面図である。
【符号の説明】
【００４４】
１，２１，３１，４１…水槽、  ５…貝類、  ７…篭、  １０、１０Ａ，１０Ｂ…超音波発生装置、  ａ…投入部、  ｂ…搬出部、  ２５…コンベヤ、  ３５…オーバーヘッドコンベヤ、  ４５…回転コンベヤ、  ４６…螺旋部材。
【図１】
0003106203.tif 000003
【図２】
0003106203.tif 000004
【図３】
0003106203.tif 000005
【図４】
0003106203.tif 000006
【図５】
0003106203.tif 000007
【図６】
0003106203.tif 000008